(57)【要約】【課題】室内機の昇降グリルのワイヤ巻取り構造において、複数のリールの箇所によりワイヤの巻取り量のばらつきをなくすことで昇降グリルの上昇時の傾きを低減し、見栄えを良くする。【解決手段】  化粧パネルの中央に設けられた空気吸込口から塵埃の進入を防ぐフィルタと、化粧パネルの中央に前記フィルタが取り付けられた昇降グリルと、昇降グリルの近傍の化粧パネルに設けられた昇降グリル用モータと、昇降グリル用モータの軸に取り付けられ、該軸と共に回転する複数のリールと、該リールの回転により、巻取り又は巻出しがされることで前記昇降グリルの昇降を行うワイヤと、を備え、リールは、巻取り部の径に傾斜を付け、一方から他方の末端に向かい径を太くするように構成され、巻取りを行う際、巻取り部の細い箇所から先に集中して前記ワイヤを巻取る。【選択図】  図１
2015045466.tif 000002
【特許請求の範囲】
【請求項１】
室内機本体部の中央上部に設けられたファンモータと、
該ファンモータによって駆動される送風機と、
該送風機を囲うように配置された熱交換器と、
前記室内機の本体部の下面に設けられた化粧パネルと、を備えた空気調和機の室内機において、
前記化粧パネルの中央に設けられた空気吸込口から塵埃の進入を防ぐフィルタと、
前記化粧パネルの中央に前記フィルタが取り付けられた昇降グリルと、
該昇降グリルの近傍の前記化粧パネルに設けられた昇降グリル用モータと、
該昇降グリル用モータの軸に取り付けられ、該軸と共に回転する複数のリールと、
該リールの回転により、巻取り又は巻出しがされることで前記昇降グリルの昇降を行うワイヤと、を備え、
前記リールは、巻取り部の径に傾斜を付け、一方から他方の末端に向かい径を太くするように構成され、巻取りを行う際、前記巻取り部の細い箇所から先に集中して前記ワイヤを巻取ることを特徴とする空気調和機の室内機。
【請求項２】
室内機本体部の中央上部に設けられたファンモータと、
該ファンモータによって駆動される送風機と、
該送風機を囲うように配置された熱交換器と、
前記室内機の本体部の下面に設けられた化粧パネルと、を備えた空気調和機の室内機において、
前記化粧パネルの中央に設けられた空気吸込口から塵埃の進入を防ぐフィルタと、
前記化粧パネルの中央に前記フィルタが取り付けられた昇降グリルと、
該昇降グリルの近傍の前記化粧パネルに設けられた昇降グリル用モータと、
該昇降グリル用モータの軸に取り付けられ、該軸と共に回転する複数のリールと、
該リールの回転により、巻取り又は巻出しがされることで前記昇降グリルの昇降を行うワイヤと、を備え、
前記リールは、巻取り部の中央の径を細くするとともに該巻取り部の両端に向かい中央より大きい径になるよう傾斜をつけるように構成され、巻取りを行う際、前記巻取り部の細い箇所から先に集中して前記ワイヤを巻取ることを特徴とする空気調和機の室内機。
【請求項３】
室内機本体部の中央上部に設けられたファンモータと、
該ファンモータによって駆動される送風機と、
該送風機を囲うように配置された熱交換器と、
前記室内機の本体部の下面に設けられた化粧パネルと、を備えた空気調和機の室内機において、
前記化粧パネルの中央に設けられた空気吸込口から塵埃の進入を防ぐフィルタと、
前記化粧パネルの中央に前記フィルタが取り付けられた昇降グリルと、
該昇降グリルの近傍の前記化粧パネルに設けられた昇降グリル用モータと、
該昇降グリル用モータの軸に取り付けられ、該軸と共に回転する複数のリールと、
該リールの回転により、巻取り又は巻出しがされることで前記昇降グリルの昇降を行うワイヤと、を備え、
前記リールは、巻取り部の一方の径を細くするとともに、他方の側に向かうに連れて段差をつけながら径を太くするように構成され、巻取りを行う際、前記巻取り部の細い箇所から先に集中して前記ワイヤを巻取ることを特徴とする空気調和機の室内機。
【請求項４】
室内機本体部の中央上部に設けられたファンモータと、
該ファンモータによって駆動される送風機と、
該送風機を囲うように配置された熱交換器と、
前記室内機の本体部の下面に設けられた化粧パネルと、を備えた空気調和機の室内機において、
前記化粧パネルの中央に設けられた空気吸込口から塵埃の進入を防ぐフィルタと、
前記化粧パネルの中央に前記フィルタが取り付けられた昇降グリルと、
該昇降グリルの近傍の前記化粧パネルに設けられた昇降グリル用モータと、
該昇降グリル用モータの軸に取り付けられ、該軸と共に回転する複数のリールと、
該リールの回転により、巻取り又は巻出しがされることで前記昇降グリルの昇降を行うワイヤと、を備え、
前記リールは、巻取り部の幅を前記ワイヤの径の略４倍となるように構成され、前記ワイヤを巻取ることを特徴とする空気調和機の室内機。
【請求項５】
室内機本体部の中央上部に設けられたファンモータと、
該ファンモータによって駆動される送風機と、
該送風機を囲うように配置された熱交換器と、
前記室内機の本体部の下面に設けられた化粧パネルと、を備えた空気調和機の室内機において、
前記化粧パネルの中央に設けられた空気吸込口から塵埃の進入を防ぐフィルタと、
前記化粧パネルの中央に前記フィルタが取り付けられた昇降グリルと、
該昇降グリルの近傍の前記化粧パネルに設けられた昇降グリル用モータと、
該昇降グリル用モータの軸に取り付けられ、該軸と共に回転する複数のリールと、
該リールの回転により、巻取り又は巻出しがされることで前記昇降グリルの昇降を行うワイヤと、
前記昇降グリル用モータの軸に取り付けられた歯車駆動部と、
該歯車駆動部と噛み合い回転軸方向を９０度曲げるための歯車伝達部と、
該歯車伝達部の軸となるクランクシャフトと、
該クランクシャフトのクランク部とコネクティングロッドにより連結されるワイヤガイドと、を備え、
前記昇降グリル用モータが回転する際に前記ワイヤガイドが往復運動をすることで前記ワイヤを前記リールに誘導しながら均等に巻き取ることを特徴とする空気調和機の室内機。
【発明の詳細な説明】
【技術分野】
【０００１】
本発明は、天井に取付けられる空気調和機の室内機に関し、特に、昇降可能なグリルの巻取り構造に関する。
【背景技術】
【０００２】
本技術分野の背景技術として、特開２０００−１６６９７号公報（特許文献１）がある。この公報には、「ワイヤをスプールに巻き取るために、スプールを回転させるためのモータとモータを支持するテーブルと、テーブルをスプールの回転軸方向にスプールの両縁部間に相当する距離を往復移動させるためのアクチュエータとによって構成されるワイヤ巻取り機構において、往復移動させられるテーブルの移動方向の反転位置直前において、その移動方向への推力よりも小さい所定の圧力でテーブルを反転方向に押すテーブル押圧部材を、テーブルの移動方向に沿う両側に配置してある。」と記載されている。
【先行技術文献】
【特許文献】
【０００３】
【特許文献１】特開２０００−１６６９７号公報
【発明の概要】
【発明が解決しようとする課題】
【０００４】
業務用空気調和機の室内機は天井裏に収納する形態が主流であり、この形態の場合、その室内機は天井裏上部から吊り下げられている。その室内機を長期に渡り使用を続けると、空気吸込口のフィルタに塵埃が溜まりフィルタが目詰まりを起こす。すると通風抵抗が増加し規定の量の空気を吸い込めなくなる。すなわち、室内機の熱交換器を通過する風量が減るため空調能力が低下する。
【０００５】
そこで、フィルタが目詰まりを無くすため、定期的にフィルタを取り外し清掃または交換する必要があるが、フィルタの取り外しは脚立上の高所作業になるため非常に危険を伴い手間も掛かるという難点がある。従って、その難点を解決するためにフィルタを備えたグリルのみを自在に昇降できる昇降機構を備えた室内機が発明された。この昇降機構は、モータ、モータで駆動するワイヤ巻取るためのリール、グリルを昇降させるワイヤおよびグリルで構成される。その動きは、モータでリールを回転駆動させ、リールによりワイヤが巻取られ、ワイヤとつながったグリルを昇降させるというものである。
【０００６】
ところで、前記リールの個数は、例えば、前記グリルは略四角形で構成され、前記グリルの角４点とつなげるワイヤそれぞれに対応するよう４個配置する、あるいは、前記リールに対し、前記グリルの角２点につなげるワイヤに対してリール１個、計２個を配置させる、というように複数個配置させることが多い。
【０００７】
ここで、上記昇降機構において複数個リールを配置させたときの問題点をあげる。  
まず、モータでリールを回転させワイヤを巻き取った状態を考える。一般的にはリールに工夫を凝らさない限り、ワイヤはリールに均等には巻かれない。すなわち、ワイヤの巻取り状態により、モータの回転が一定であっても、上昇（巻き上げ）速度や下降速度に時間的なばらつきがあることは容易に考えることができる。従って、このようなワイヤ巻取り状態のリールが複数個ある場合、各リールの上昇あるいは下降速度にはそれぞればらつきがあり、ワイヤとつながれているグリルは、上昇あるいは下降中、その姿勢が水平に保たれず、傾いて昇降するため非常に見栄えが悪くなり、これが問題点となっている。
そこで、前記問題点を解決するためには、各リールに均等にワイヤを巻き上げることが必須となり、以下のような従来技術がある。
【０００８】
前記特許文献１によると、ワイヤの巻取り構造において、巻取り部をアクチュエータにより往復運動させ、巻取り部の両端に緩衝部材を設けることで巻取り部が往復運動の両端に来たときに減速させ、均等にワイヤを巻き取る構造が記載されている。しかし、特許文献１に記載の方法にも問題点がある。それは巻取り部を往復運動させるためのアクチュエータを配置しなければならず、コストが増大する。またアクチュエータを駆動させる入力エネルギーが必要で、近年の省エネ化と言う観点からも不利である。
【０００９】
そこで本発明は、構室内機に備えられた複数のリールを持つグリル昇降機構のワイヤ巻取り構造において、各リールのワイヤ巻取り量のばらつきをなくし、グリルの昇降時の傾きを低減し略水平の姿勢を保つことで、見栄えを良くすることを目的とする。  
なお、以下、昇降機構を備えたグリルを昇降グリルと呼ぶこととする。
【課題を解決するための手段】
【００１０】
上記課題を解決するために、本発明は「室内機本体部の中央上部に設けられたファンモータと、該ファンモータによって駆動される送風機と、該送風機を囲うように配置された熱交換器と、前記室内機の本体部の下面に設けられた化粧パネルと、を備えた空気調和機の室内機において、前記化粧パネルの中央に設けられた空気吸込口から塵埃の進入を防ぐフィルタと、前記化粧パネルの中央に前記フィルタが取り付けられた昇降グリルと、該昇降グリルの近傍の前記化粧パネルに設けられた昇降グリル用モータと、該昇降グリル用モータの軸に取り付けられ、該軸と共に回転する複数のリールと、該リールの回転により、巻取り又は巻出しがされることで前記昇降グリルの昇降を行うワイヤと、を備え、前記リールは、巻取り部の径に傾斜を付け、一方から他方の末端に向かい径を太くするように構成され、巻取りを行う際、前記巻取り部の細い箇所から先に集中して前記ワイヤを巻取ること」を特徴とする。
【発明の効果】
【００１１】
本発明によれば構室内機に備えられた複数のリールを持つグリル昇降機構のワイヤ巻取り構造において、各リールのワイヤ巻取り量のばらつきをなくし、グリルの昇降時の傾きを低減し略水平の姿勢を保つことで、見栄えを良くすることができる。
【図面の簡単な説明】
【００１２】
【図１】本発明の実施例１を示すグリル昇降機構のワイヤ巻取り部の構造図
【図２】天井に本体を吊り下げる従来のグリル昇降機構を備えた空気調和機室内機内部構造図
【図３】図２のＨから見た図
【図４】化粧パネルを図２のＩから見た図
【図５】図４のグリルの昇降時斜視図
【図６】図４Ａ部の拡大図
【図７】本発明の実施例２を示す図１に対応する図４Ａ部拡大図
【図８】本発明の実施例３を示す図１に対応する図４Ａ部拡大図
【図９】本発明の実施例４を示す図１に対応する図４Ａ部拡大図
【図１０】本発明の実施例５を示す図１に対応する図４Ａ部拡大図
【図１１】図１０Ｂ部の斜視図
【発明を実施するための形態】
【００１３】
以下、図面を用いて本発明の実施例について説明する。
【実施例１】
【００１４】
以下、図１〜５を用いて本発明の実施例について説明する。本実施例は室内機と室外機とが冷媒配管で接続されて構成される空気調和機について、特に室内機の構造に関するものである。
【００１５】
図２は天井に本体を吊り下げる従来のグリル昇降機構を備えた空気調和機室内機内部構造図を示し、図３は図２のＨから見た図を示す。また、図４に化粧パネルを図２のＩから見た図を示す。一般的な吹き出し口を４つ備える室内機の構造をこれら図２、図３及び図４を用いて説明する。本実施例の室内機は、室内機本体部４０の中央上部に設けられたファンモータ４４と、ファンモータ４４によって駆動されるファン４５（送風機）と、該ファン４５を囲うように配置された熱交換器４３と、室内機の本体部４０の下面に設けられた化粧パネル２１と、化粧パネル２１の中央に設けられた空気吸込口２７から塵埃の進入を防ぐフィルタ２５と、化粧パネル４０の中央にフィルタ２５が取り付けられた昇降グリル２９と、を備えている。
【００１６】
ファン４５が回転することで空気吸込口２７から空気が吸い込まれ、この空気と熱交換器４３内部を流れる冷媒との熱交換が行われる。冷房運転であれば、この熱交換により冷却された空気が図３の吹出口４２ａから吹出されて室内の空気調和が行われる。
【００１７】
また、室内機は、昇降グリル２９の近傍の化粧パネル２１に設けられた昇降グリル用モータ１と、昇降グリル用モータ１の軸に取り付けられ該軸と共に回転する複数のリール２と、リール２の回転により巻取り又は巻出しがされることで昇降グリル２９の昇降を行うワイヤ３と、を備える。このように昇降グリル用モータ１の回転を制御することでリール２の巻取り部へワイヤ３が巻き取られる、あるいは巻き出されることで昇降グリル２９の昇降を自在に制御するものである。
【００１８】
そのため、リール２を複数備えた構造では、ワイヤ３の巻取り方によるワイヤ３の多い箇所と少ない箇所のばらつきにより、巻取り速さに差が生じ昇降グリルの上昇時に、昇降グリル２９が傾くことがある。複数のリール２が同じようにワイヤ３を巻き取れれば、巻取り速さの差は生じないため、昇降グリル２９の上昇時の傾きはなくなる。
【００１９】
図５は図４のグリルの昇降時斜視図である。ワイヤ３はクレーン１１の１１ａ部で屈曲し、滑車１４を介しクレーン１１の１１ｂ部で固定されている。昇降グリル２９の上昇時では、昇降グリル用モータ１が回転しワイヤ３をリール２に巻き取ることで昇降グリル２９を上昇させている。
【００２０】
そのため、リール２の表面が平らでない等で、複数のリール２の径にばらつきがあったり、昇降グリル２９の重心がずれていると、複数のリール２に掛かるワイヤ３の張力がばらつき、リール２にワイヤ３が均等に巻かれず、ワイヤ３が多く巻かれる箇所と少ない箇所とで偏りが発生する。その結果ワイヤ３が多く巻かれている箇所は径が大きく、少ない箇所では径が小さい箇所となる。したがって、一定の回転数でモータ１が回転しても、巻取り部の径の大きさが異なることでワイヤ３の巻取り速さは変化する。
【００２１】
図４、図５に示すようにモータ１及びリール２は２個ずつ備えられている構造では、各リール２によりワイヤ３の巻取り速さに差が生じるため、昇降グリル２９の上昇速度が昇降グリル２９の吊り下げ箇所により異なり、昇降グリル２９が傾き、見栄えが悪くなる。しかし、各リール２の巻取り箇所の径が全て同じであれば前記の問題は発生せずこの問題は解決される。
【００２２】
そこで以下、特許文献１に記載のワイヤ巻取り構造と同様、リール２の指定箇所にワイヤ３を巻取り、特許文献１より更に入力エネルギーを小さく省エネ化しコストを削減することのできる、ワイヤ巻取り構造について説明する。
【００２３】
図１は本発明の実施例１を示すグリル昇降機構のワイヤ巻取り部の構造を説明するための図であり、図６に図４のＡ部を拡大した従来グリル昇降機構のワイヤ巻取り構造を示す。図１は図６の従来のワイヤ巻取り構造に比べ、リール２の径をどちらか片側へ向かって径の大きさを比例的に変化させ円筒形を円錐形にすることを特徴とする。つまり本実施例のリール２は、巻取り部の径に傾斜を付け、一方から他方の末端に向かい径を太くするように構成され、巻取りを行う際、巻取り部の細い箇所から先に集中して前記ワイヤを巻取るものである。このようにリール２の径の細い箇所からワイヤ３が巻き取られることにより、複数あるリール２のワイヤ３巻取り速さの差を小さくし、昇降グリルの上昇時の昇降グリル２９の傾きを低減することが可能である。
【実施例２】
【００２４】
本発明の実施例２について図７を用いて説明する。実施例１と共通な点については説明を省略する。  
図７は本実施例の室内機の昇降グリルのワイヤ巻取り構造を説明するための図である。図７は図６の従来のワイヤ巻取り構造に比べ、リール２の中央の径を最も細く、両端に向かう程比例的に傾斜を付けながら径を太くすることを特徴とする。つまり、本実施例のリール２は、巻取り部の中央の径を細くするとともに巻取り部の両端に向かい中央より大きい径になるよう傾斜をつけるように構成され、巻取りを行う際、巻取り部の細い箇所から先に集中してワイヤ３を巻取るものである。このようにリール２の径の細い箇所からワイヤ３が巻き取られることにより、複数あるリール２のワイヤ３巻取り速さの差を小さくし、昇降グリル２９の上昇時の傾きを低減することが可能である。
【実施例３】
【００２５】
本発明の実施例３について図８を用いて説明する。実施例１と共通な点については説明を省略する。  
図８は本実施例の室内機の昇降グリルのワイヤ巻取り構造を説明するための図である。図８は図６の従来のワイヤ巻取り構造に比べ、リール２の径の太さをどちらか片側に向かってワイヤ３の径の段差をつけながらリール２を太くすることを特徴とする。つまり本実施例のリール２は、巻取り部の一方の径を細くするとともに、他方の側に向かうに連れて段差をつけながら径を太くするように構成され、巻取りを行う際、巻取り部の細い箇所から先に集中してワイヤ３を巻取るものである。リール２の径の細い箇所からワイヤ３が巻き取られることで複数あるリール２のワイヤ３巻取り速さの差を小さくし、昇降グリル２９の上昇時の傾きを低減することが可能である。
【実施例４】
【００２６】
本発明の実施例４について図９を用いて説明する。実施例１と共通な点については説明を省略する。  
図９は本実施例の室内機の昇降グリルのワイヤ巻取り構造を説明するための図である。図９は図６の従来のワイヤ巻取り構造に比べ、リール２の幅Ｌを狭めていることを特徴とする。その際、図９に示す通り寸法Ｌ（リール２の巻取り箇所の長さ）及びワイヤ３の径φとすると、Ｌをφの略４倍とすることで、ワイヤ３の巻き取られ方が均等になる。ワイヤ３がリール２に均等に巻き取られ易くすることにより、複数あるリール２のワイヤ３巻取り速さの差を小さくし、グリル上昇時のグリル２９の傾きを低減することが可能である。
【実施例５】
【００２７】
本発明の実施例５について図１０、１１を用いて説明する。実施例１と共通な点については説明を省略する。  
図１０は本実施例の室内機の昇降グリルのワイヤ巻取り構造の上面図であり、図１１は図１０中Ｂ部の斜視図である。本実施例の昇降グリルのワイヤ巻取り構造は、図１０に示すようにワイヤ３の巻取り時、昇降グリル用モータ１が矢印９０の方向に回転することで歯車駆動側５が回転するため、歯車駆動側５と噛み合う歯車伝達側６が矢印９１の方向に回転する。歯車伝達側６が矢印９１の方向に回転することにより、クランクシャフト７が回転する。図１０及び図１１に示す通り、クランクシャフト７が矢印９１の方向に回転することにより、コネクティングロッド８が動きワイヤガイド９が矢印９２のように往復運動をする。そのため、ワイヤガイド９がワイヤ３を誘導するため、ワイヤ３がリール２の手前で移動しながら巻き取られる。
【００２８】
図６の従来の天井吊下げ型空気調和機室内機の昇降グリル用ワイヤ巻取り構造に比べ、本実施例ではこの構造を備えることにより、ワイヤ３がリール２へ均等に巻き取られるため、グリル上昇時のグリル２９の傾きを低減することが可能である。
【符号の説明】
【００２９】
１  昇降グリル用モータ
２  リール
３  ワイヤ
４  モータステー
４ａ  軸受け
５  歯車駆動側
６  歯車伝達側
７  クランクシャフト
８  コネクティングロッド
９  ワイヤガイド
１０  ワイヤガイド支え
１１  クレーン
１１ａ  ワイヤ屈曲部
１１ｂ  ワイヤ固定部
１２  昇降グリル用電気箱
１３  リミットスイッチ
１４  滑車
２１  化粧パネル
２２  風向ルーバ
２３  吹出ガイド
２４  パッキン
２５  フィルタ
２６  コーナーパネル
２７  吸込口
２８  天井面
２９  グリル
３０  化粧パネル取付用ボルト
４０  筐体
４０ａ  天板
４１  発泡ケース
４２  ドレンパン
４２ａ  吹出口
４３  熱交換機
４４  ファンモータ
４５  送風機
４６  電気箱
４７  昇降ケース
９０  ワイヤ巻取り時のモータ回転方向
９１  ワイヤ巻取り時のクランクシャフト回転方向
９２  ピストンの往復運動
９３  空気の流れ
【図１】
2015045466.tif 000003
【図２】
2015045466.tif 000004
【図３】
2015045466.tif 000005
【図４】
2015045466.tif 000006
【図５】
2015045466.tif 000007
【図６】
2015045466.tif 000008
【図７】
2015045466.tif 000009
【図８】
2015045466.tif 000010
【図９】
2015045466.tif 000011
【図１０】
2015045466.tif 000012
【図１１】
2015045466.tif 000013